(57)【要約】  電気ケーブルを内側に包んでシールドする編組線を、コネクタに設けたシールド部材に結合するためのシールド・カバーが開示される。より詳細には、編組線の一端を整えることなくただ１回の嵌合操作によって編組線をシールド部材に固定接続する編組線シールド用シールド・カバーが開示される。このシールド・カバーは、電気ケーブルを内側に包む編組線をコネクタ・ハウジングのシールド・ユニットに接地状態で接続する。シールド・カバーは、編組線をシールド・ユニットの外側に接地状態で固定するように、シールド・ユニットの後部側外周部とコネクタ・ハウジングの後部側内周部との間に画定される空間に編組線の一端を押し込む押圧固定ユニットを備える。
2012521068.tif 000002
【特許請求の範囲】
【請求項１】
電気ケーブルを内側に包む編組線をコネクタ・ハウジングのシールド・ユニットに接地状態で接続するためのシールド・カバーであって、
前記編組線を前記シールド・ユニットの外側に接地状態で固定するように、前記シールド・ユニットの後部側外周部と前記コネクタ・ハウジングの後部側内周部との間に画定される空間に前記編組線の一端を押し込む押圧固定ユニットを備える、シールド・カバー。
【請求項２】
前記押圧固定ユニットの内周部が、
前記編組線を前記シールド・ユニットの前記外側に強固に押し付ける固定面と、
前記固定面からテーパ状に延び、かつ前記編組線を前記シールド・ユニットの前記外側に案内する傾斜面と
を備える、請求項１に記載のシールド・カバー。
【請求項３】
前記押圧固定ユニットが、その後部に、前記編組線を前記シールド・ユニットの一端に押し付ける垂直接触面を備え、
前記垂直接触面が、前記編組線が離脱するのを防ぐために前記編組線を部分的に押圧する凸部を備える、請求項１または２に記載のシールド・カバー。
【発明の詳細な説明】
【技術分野】
【０００１】
本発明は、電気ケーブルを内側に包んでシールドする編組線（braided wire）を、コネクタに設けたシールド部材に結合するためのシールド・カバーに関する。より詳細には、本発明は、編組線の一端を整えることなくただ１回の嵌合操作によって編組線をシールド部材に固定接続する編組線シールド用シールド・カバーに関する。
【背景技術】
【０００２】
電気信号を伝送する電気ケーブルまたは高電圧電力を供給する電気ケーブルは、電気信号が外来電磁波による干渉から保護されるように、または電流の流れる電気ケーブルから発生する電磁波が電磁波の近くにある高感度の電子機器に影響を及ぼすのを防ぐように、シールドされる必要がある。
【０００３】
そのようなシールドは、例えば、電気ケーブルを内側に包むために網状に編まれた複数本の可撓性導線を含む編組線を提供することによって実現することができる。
【０００４】
一方、電気ケーブル同士の接続、または電気ケーブルと異なるデバイスとの接続は、主に専用コネクタを介して実現することができる。コネクタは、電気ケーブルに電気的に接続されるリード部と、このリード部をシールドするシールド部材とを備える。シールド部材は、金属などの導電材料からなり、編組線に電気的に接続される。
【０００５】
シールド部材は、リード部を内側に包むように構成される。シールド部材は、雌コネクタに設けられるのみならず、雄コネクタにも設けられる。雌コネクタおよび雄コネクタを互いに結合すると、シールド部材は互いに接触する。したがって、各電気ケーブルに接続されたリード部同士は、コネクタを通過する電気信号または電流をシールドするために編組線に電気的に接続されたシールド部材のシールド空間内で互いに結合される。
【０００６】
シールド部材１２と編組線Ｔとを接続する従来の方法を図７に示す。
【０００７】
図７に示す従来の方法によれば、電気ケーブルＷを内側に包む編組線の一端が、追加の編組線拡大装置を用いてシールド部材１２の外周を囲むように広げられ、追加のクランプ部材１４が、編組線Ｔをシールド部材１２に強固に固定するためにシールド部材１２の上下でシールド部材１２に結合される。
【０００８】
図７では、２つのクランプ部材、すなわち、上側クランプ部材および下側クランプ部材が、シールド部材に結合される。あるいは、帯状タイプのクランプ部材が、設けられてもよい。この場合、クランプ部材の向かい合う端部は、ねじによって互いに固定接続される。
【０００９】
クランプ部材を用いた従来の方法によれば、編組線は、クランプ部材の締め付け力によって容易に断裂することがある。特に、垂直な突出部もしくは凹部がシールド部材の外周に形成されており、この突出部もしくは凹部に位置する編組線がクランプ部材によって押圧されると、編組線が塑性変形する可能性がある。その結果、編組線の塑性変形した部分が、振動や引張力などの外力により、この編組線を後で使用する際に容易に断裂する可能性がある。結果として、編組線のシールド性能は、かなり劣化する。したがって、ノイズが電気信号中に発生する可能性があり、そのため、対応する機器が動作不良を引き起こす可能性がある。
【００１０】
また、クランプ部材をシールド部材に結合する工程を実行する必要があり、それにより人件費が増加する。加えて、クランプ部材をシールド部材に結合するための装置を用意する必要があり、それにより装置関連コストが増える。さらに、クランプ部材をシールド部材に結合するための時間が必要であるため、それにより生産性が低下する。
【発明の概要】
【発明が解決しようとする課題】
【００１１】
したがって、本発明は、上記課題に鑑みてなされたものであり、本発明の目的は、ただ１回の押圧操作によって編組線をシールド部材の外側に強固に固定できる編組線シールド用シールド・カバーを提供することである。
【００１２】
本発明の他の目的は、シールド部材へのシールド・カバーの結合が、小さい力で実現され、シールド・カバーがシールド部材に完全に嵌合するときに、編組線の一端側にある太さが不均一な絡み合った部分を受け入れる空間をシールド・カバーが備える、編組線シールド用シールド・カバーを提供することである。
【００１３】
本発明のさらなる目的は、編組線を引っ張っても編組線が接続ハウジングから離脱しないようにすることができ、それによって結合力を増大させる、編組線シールド用シールド・カバーを提供することである。
【課題を解決するための手段】
【００１４】
本発明によれば、上記目的および他の目的は、電気ケーブルを内側に包む編組線をコネクタ・ハウジングのシールド・ユニットに接地状態で接続するためのシールド・カバーを提供することによって達成することができる。このシールド・カバーは、編組線をシールド・ユニットの外側に接地状態で固定するように、シールド・ユニットの後部側外周部とコネクタ・ハウジングの後部側内周部との間に画定される空間に編組線の一端を押し込む押圧固定ユニットを備える。
【００１５】
押圧固定ユニットの内周部が、編組線をシールド・ユニットの外側に強固に押し付ける固定面と、この固定面からテーパ状に延び、かつ編組線をシールド・ユニットの外側に案内する傾斜面とを備えてもよい。
【００１６】
押圧固定ユニットが、その後部に、編組線をシールド・ユニットの一端に押し付ける垂直接触面を備えてもよい。この垂直接触面が、編組線が離脱するのを防ぐために編組線を部分的に押圧する凸部を備えてもよい。
【００１７】
本発明の実施形態による編組線シールド用シールド・カバーは、追加のクランプを用いることなく、傾斜面を有する押圧固定ユニットによって一度に編組線をコネクタ・ハウジングのシールド・ユニットにしっかりと強固に固定するという効果を有する。
【００１８】
また、シールド・カバーをコネクタ・ハウジングに最初に嵌合する際に、押圧固定ユニットの内周に形成した傾斜面によって、大きな負荷が押圧固定ユニットに加わらない。したがって、本発明の実施形態による編組線シールド用シールド・カバーは、シールド・カバーをコネクタ・ハウジングに容易に結合し、押圧固定ユニットの破損を防ぐことを実現するという効果を有する。加えて、シールド・カバーがコネクタ・ハウジングに完全に嵌合すると、傾斜面が編組線の端部にある編組線の絡み合った部分を受け入れるため、編組線は、固定面によって強固に押圧される。したがって、本発明の実施形態による編組線シールド用シールド・カバーは、編組線に加えられる押圧力を維持するという効果を有する。
【００１９】
一方、垂直接触面に形成された凸部は、編組線をシールド・ユニットの対応する端部に強く押し付ける。このため、編組線が後方に引っ張られたときに、編組線が滑動し垂直接触面から離脱することが防がれる。したがって、本発明の実施形態による編組線シールド用シールド・カバーは、編組線を強固に固定することを実現するという効果を有する。
【００２０】
本発明の上記の目的、特徴、ならびに他の目的、特徴および他の利点は、添付図面と併せて参照する以下の詳細な説明からより明らかに理解されよう。
【図面の簡単な説明】
【００２１】
【図１】図１は、本発明の一実施形態によるコネクタ・ハウジング、編組線、および編組線シールド用シールド・カバーを示す斜視図であり、組立前の状態を示す斜視図である。
【図２】図２は、図１に示したコネクタ・ハウジング、編組線、および編組線シールド用シールド・カバーの部分断面図であり、組立後の状態を示す図である。
【図３】図３は、図１に示した編組線シールド用シールド・カバーの斜視図である。
【図４】図４は、図１に示した編組線シールド用シールド・カバーの他の使用状態を示す部分断面図である。
【図５】図５は、図４の概略平面図である。
【図６】図６は、図１に示した編組線シールド用シールド・カバーのさらに他の使用状態を示す部分断面図である。
【図７】図７は、従来技術を示す図である。
【発明を実施するための形態】
【００２２】
次に、本発明の好ましい一実施形態を、添付図面を参照して詳細に説明する。同一または類似する要素は、異なる図面に表されていても、同じ参照符号によって示す。
【００２３】
図１は、本発明の一実施形態によるコネクタ・ハウジング、編組線、および編組線シールド用シールド・カバーを示す斜視図であり、組立前の状態を示す斜視図である。図２は、図１に示したコネクタ・ハウジング、編組線、および編組線シールド用シールド・カバーの部分断面図であり、組立後の状態を示す図である。図３は、図１に示した編組線シールド用シールド・カバーの斜視図である。
【００２４】
まず、本発明の一実施形態によるシールド・カバー１が嵌合するコネクタ・ハウジング２と、編組線３がシールド・カバー１によって強固に押し付けられるシールド・ユニット２１とを説明する。
【００２５】
コネクタ・ハウジング２は、編組線３に包まれている電気ケーブル４に電気的に接続されるリード部２２と、リード部２２をシールドするシールド・ユニット２１とを含む。シールド・ユニット２１は、リード部２２および電気ケーブル４を覆う絶縁体２１１と、絶縁体２１１を囲むシールド部材２１２とを含む。
【００２６】
コネクタ・ハウジング２は、シールド・ユニット２１を囲む外側絶縁体２３をさらに備える。シールド・ユニット２１の後部側外周部と、外側絶縁体２３の後部側内周部との間に、内側空間Ｐが画定されている。この内側空間Ｐ内に、シールド部材２１２に接触する編組線３の一端が位置する。
【００２７】
本実施形態では、編組線シールド用シールド・カバー１がコネクタ・ハウジング２に嵌合して、電気ケーブル４を内側に包む編組線３をコネクタ・ハウジング２のシールド部材２１２に導電状態で強固に固定する。
【００２８】
シールド・カバー１は、貫通孔１１１を形成する内周部１１を含む。編組線３に包まれている電気ケーブル４は、貫通孔１１１を通って延在する。シールド・カバー１は、内周部１１から前方に向かって広くなった外周部１２を介してコネクタ・ハウジング２に結合される。
【００２９】
シールド・カバー１とコネクタ・ハウジング２との結合は、周知の構造、すなわち、シールド・カバーの外周部に孔が形成され、コネクタ・ハウジングに形成された突出部がこの孔内に挿入される構造によって実現することができる。
【００３０】
シールド・カバー１には、押圧固定ユニット１３も形成されている。押圧固定ユニット１３は、押圧固定ユニット１３が外周部１２から離間配置されるように内周部１１から前方に向かって延びる。押圧固定ユニット１３は、編組線３をシールド・ユニット２１の外側に接地状態で固定するために内側空間Ｐ内に位置する。押圧固定ユニット１３は、シールド・カバー１の内側から前方に向かって延びる。具体的には、押圧固定ユニット１３は、一端がシールド・カバー１の内側に固定された片持ち梁状に形成される。押圧固定ユニット１３は、押圧固定ユニット１３がシールド・ユニット２１に接触すると押圧固定ユニット１３が広げられる方向に弾性を有することが好ましい。
【００３１】
この場合、押圧固定ユニット１３は、シールド・カバー１をコネクタ・ハウジング２に強制的に嵌合する際に、内側空間Ｐに編組線３の対応する端部を押し込み、それにより、編組線３は、自動的に調整および配置される。なお、内側空間Ｐは、シールド・ユニット２１の後部側外周部と、コネクタ・ハウジング２の後部側内周部との間に画定される空間である。
【００３２】
押圧固定ユニット１３は、シールド・ユニット２１の外周部と平行に形成された内周部１３１を有する。内周部１３１は、編組線３をシールド・ユニット２１の外側に押し付けて編組線３を固定する固定面１３１ａと、固定面１３１ａから前方に向かってテーパ状に延びる傾斜面１３１ｂとを含む。
【００３３】
内周部１３１の前部に形成された傾斜面１３１ｂは、押圧固定ユニット１３が、編組線３をシールド・ユニット２１に押し込む初期の過程において過負荷により損傷を受けるのを防ぐ。また、傾斜面１３１ｂは、シールド・カバー１をコネクタ・ハウジング２に完全に嵌合した後、編組線３の対応する端部の絡み合った部分の一部を受け入れる受容空間を形成する。
【００３４】
一方、押圧固定ユニット１３は、その後部に編組線３をシールド・ユニット２１の一端に押し付ける垂直接触面１４を備える。垂直接触面１４は、編組線３が離脱するのを防ぐために編組線３を部分的に押圧する凸部１４１を含む。
【００３５】
垂直接触面１４は、押圧固定ユニット１３の後部から突出する。シールド・カバー１がコネクタ・ハウジング２に完全に嵌合すると、垂直接触面１４は、シールド・ユニット２１の対応する後端部と面接触することになる。
【００３６】
シールド・カバー１の内周部が垂直接触面１４を形成するように、後方に向かって垂直に延びてもよい。あるいは、垂直接触面１４は、シールド・カバー１の内部に向かって押圧固定ユニット１３の後部から延びてもよい。
【００３７】
一方、凸部１４１は垂直接触面１４から突出し、より大きい押圧力で編組線３をシールド・ユニット２１の対応する端部に押し付ける。これによって、編組線３が滑動して離脱するのを防ぐようになっている。
【００３８】
凸部１４１は、編組線３を押圧するために、垂直接触面１４から突出する半球状突出部または円錐形突出部の形状に形成されてもよい。垂直接触面１４は、線接触することによって押圧力を増大させるように鋸歯状に形成されてもよい。
【００３９】
以下、本発明の実施形態による編組線シールド用シールド・カバーの作用を、図２、および図４〜図６を参照して詳細に説明する。
【００４０】
まず、図２に示すように、編組線３に包まれている電気ケーブル４がシールド・カバー１の内周部１１を通って延在し、この電気ケーブル４がコネクタ・ハウジング２のリード部２２に接続されている状態で、編組線３の一端は、追加の編組線拡大装置（図示せず）を用いて編組線３の外寸がコネクタ・ハウジング２の外寸より大きくなるように広げられる。
【００４１】
編組線３は、網状に編まれた複数本の導線を含むので、導線の一部は、編組線３の端部が広げられると容易に絡め合わせることができる。
【００４２】
結果として、導線の一部は、編組線３の広がった端部で互いに重なり合い、したがって導線の太さが増す。導線の一部は、編組線３の広がった端部で巻かれたり捩られたりしている。加えて、編組線３の広がった端部で、導線の一部は、ある方向に盛り上がり、その結果、導線は均一に分布しない。
【００４３】
シールド・カバー１がコネクタ・ハウジング２に嵌合すると、図４に示すように、編組線３の広がった端部は、シールド・カバー１の内周部１１によって電気ケーブル４を強固に包むように狭められる。また、編組線３の広がった端部は、押圧固定ユニット１３によってシールド・ユニット２１の外側へ押され、すなわち内側空間Ｐに押し込まれる。
【００４４】
このとき、押圧固定ユニット１３の傾斜面１３１ｂは、シールド・ユニット２１の縁部に載っている編組線３を押圧して、シールド・ユニット２１の長手方向に編組線３の導線を整列させる。その結果、押圧固定ユニット１３は、シールド・ユニット２１の長手方向に整列した編組線３に沿って前進する。したがって、シールド・カバー１をコネクタ・ハウジング２に最初に嵌合する際に、大きな負荷が押圧固定ユニット１３に加わらない。そのため、押圧固定ユニット１３が、シールド・ユニット２１の外周部に嵌合する際に、押圧固定ユニット１３に加えられる負荷による押圧固定ユニット１３またはシールド・カバー１の破損が防がれる。
【００４５】
図５を参照すると、編組線３は、傾斜面１３１ｂによってシールド部材２１２にゆっくり押し付けられる。編組線３に加えられる押圧力が増加するにつれて、一方の側に密集した導線３１の一部は、分散させられて、シールド・ユニット２１の外周部と均一に接触することになる。
【００４６】
そのため、編組線３の導線３１は、シールド・ユニット２１の外周部で均一に配置および押圧され、それによってリード部のシールド性能を維持する。
【００４７】
一方、図６に示すように、シールド・カバー１がコネクタ・ハウジング２に完全に結合すると、押圧固定ユニット１３は内側空間Ｐに深く挿入される。このとき、編組線３は、押圧固定ユニット１３の固定面１３１ａによってシールド部材２１２に強固に固定される。
【００４８】
また、傾斜面１３１ｂは、編組線３の端部における一部の巻かれた導線を受け入れる受容空間Ｃを形成する。したがって、押圧固定ユニット１３は、巻かれた導線により広げられることが防がれ、そのため編組線３は、十分に押圧される。すなわち、編組線３を広げる際に巻かれた一部の導線は、傾斜面１３１ｂによって形成された受容空間内に配置され、それにより押圧固定ユニット１３は、広げられることが防がれて、編組線３の安定した固定を実現する。
【００４９】
また、垂直接触面１４に形成された凸部１４１は、編組線３をシールド・ユニット２１の対応する端部に強く押し付ける。したがって、編組線３が後方に引っ張られたときに、編組線３が滑動し垂直接触面１４から離脱することが防がれる。
【００５０】
前述の通り、凸部１４１は、押圧固定ユニット１３の傾斜面１３１ｂに均一に分布した導線を強く押圧し、それによって編組線３が離脱するのをより効果的に防ぐ。
【００５１】
このように、ただ１回の押し操作によってシールド・カバー１とコネクタ・ハウジング２とが結合する間に、編組線３が整列および押圧されるので、従来技術において必要である追加のクランプ部材が不要となる。そのため、クランプ部材を外側構成要素に結合することは必要とされない。したがって、製造コストは削減され、迅速な組立が実現される。
【００５２】
本発明の形態（Ｍｏｄｅ）
本発明を実施するための様々な実施形態を最良の形態で説明してきた。
【産業上の利用可能性】
【００５３】
上述の説明から明らかなように、本発明の実施形態による編組線シールド用シールド・カバーは、追加のクランプを用いることなく、傾斜面を有する押圧固定ユニットによって一度に編組線をコネクタ・ハウジングのシールド・ユニットにしっかりと強固に固定するという効果を有する。
【００５４】
また、シールド・カバーをコネクタ・ハウジングに最初に嵌合する際に、押圧固定ユニットの内周に形成した傾斜面によって、大きな負荷が押圧固定ユニットに加わらない。したがって、本発明の実施形態による編組線シールド用シールド・カバーは、シールド・カバーをコネクタ・ハウジングに容易に結合し、押圧固定ユニットの破損を防ぐことを実現するという効果を有する。加えて、シールド・カバーが、コネクタ・ハウジングに完全に嵌合すると、傾斜面は、編組線の端部にある編組線の絡み合った部分を受け入れ、そのため編組線は、固定面によってしっかりと押圧される。したがって、本発明の実施形態による編組線シールド用シールド・カバーは、編組線に加えられる押圧力を維持するという効果を有する。
【００５５】
一方、垂直接触面に形成された凸部は、編組線をシールド・ユニットの対応する端部に強く押し付け、そのため、編組線が後方に引っ張られたときに、編組線が滑動し垂直接触面から離脱することが防がれる。したがって、本発明の実施形態による編組線シールド用シールド・カバーは、編組線を強固に固定することを実現するという効果を有する。
【００５６】
したがって、本発明は、産業上利用可能性を有する。
【００５７】
本発明の好ましい実施形態を、例示を目的として開示してきたが、添付の特許請求の範囲に開示したような本発明の範囲および精神から逸脱することなく、様々な修正、追加、および代替が可能であることが、当業者には理解されよう。
【図１】
2012521068.tif 000003
【図２】
2012521068.tif 000004
【図３】
2012521068.tif 000005
【図４】
2012521068.tif 000006
【図５】
2012521068.tif 000007
【図６】
2012521068.tif 000008
【図７】
2012521068.tif 000009
【国際調査報告】
2012521068.tif 000010
2012521068.tif 000011